(57)【特許請求の範囲】
【請求項１】
縦方向の長さが同一の複数枚の矩形形状の用紙がそれぞれの用紙の横方向の一側端で揃えて接着されて一体化された冊子状フォームであって、
最上位の用紙の横方向の他の一側端の裏側には線状に形成された接着剤が、最下位の用紙の横方向の他の一側端の表側には剥離剤層がそれぞれ冊子状フォームの側端に平行に形成され、前記最上位及び最下位の用紙は、前記最上位及び最下位の用紙より短い複数枚の中間の用紙を挟んで前記剥離剤層で剥離可能に接着され、
かつ、前記中間の用紙の少なくとも１枚の用紙は、切り取りミシンで切り取り可能に設けられた２つ折り封筒部を有し、前記２つ折り封筒部の折り畳み側となる用紙上の周縁に剥離可能な接着剤層が設けられ、前記２つ折り封筒部の剥離可能な接着剤層の上側に、剥離紙が剥離可能に貼付され、
前記線状に形成された接着剤の本数は、前記中間の用紙の枚数に応じた本数で形成されていることを特徴とする冊子状フォーム。
【発明の詳細な説明】
【技術分野】
【０００１】
本発明は、矩形形状を有する複数枚の用紙が重ねられ、前記重ねられた複数枚の用紙の一端側が接着され一体化されてなる冊子状フォームに関する。
【背景技術】
【０００２】
従来、販売促進用のダイレクトメールや広告宣伝用の印刷物などとして、複数の用紙を重ね合わせ一辺側で綴じて一体化させた冊子が用いられ、種々の構成の冊子が提案されている。（例えば、特許文献１、２参照）
また、データベースに登録されている個人情報を使用して、プリンタで個人情報を印字するとともに、予め印刷した共通の販売促進情報や、個々の顧客のニーズに応じて選択した販売促進情報をプリンタで印字するなどした用紙を、複数枚重ねた冊子状フォームも使用されている。
【０００３】
【特許文献１】特開平５−４２７８４号公報
【特許文献２】特開２００７−２８３５５９号公報
【０００４】
例えば、保険の販売促進を郵送で行なう場合について説明すると、保険会社が販売促進を行う顧客が、既に自社の保険に入っている際には、冊子状フォーム内の用紙にその顧客が現在入っている保険情報を印字させて、顧客が確認できるようにすると共に、その顧客に対してさらにどのような保険に加入することが好ましいかということを通知することで、顧客毎に最適な保険商品を提案できるようにしている。
【０００５】
このように顧客毎に異なる情報の通知を保険会社から大量に行なうには、複数枚の連続用紙を用いて、宛先情報や保険情報などをプリンタで連続的に印字した後に、それらの連続用紙を重ね合わせて丁合いし、１セットごとに断裁し、更にそれらを窓開き封筒に封入封緘して発送処理を行なっている。
【０００６】
しかしながら、顧客に提供する保険商品情報が多い場合には、冊子の枚数も増えることから、封入封緘の処理を行なう際に、冊子の綴じられていない側の紙片が捲れるなどして、折れ曲がったり、破れたりするという問題がある。
また、特許文献２に記載された冊子のように、弱接着剤を用いて最上位の用紙と最下位の用紙を接着させて、剥離可能な状態とした構成が知られているが、冊子の用途に応じて、冊子内の重ねられた枚数が異なるために、冊子内の枚数が少ない場合や多い場合などの状況に対応させて、弱接着剤の接着力を適切な状態に調整するのは難しいという問題がある。
【発明の開示】
【発明が解決しようとする課題】
【０００８】
そこで、本発明は、冊子の枚数が多い場合であっても、封入封緘の処理を行なう際に、冊子の綴じられていない側の紙片が捲れるなどして、折れ曲がったり、破れたりすることを防止すると共に、冊子内の重ねられた枚数が異なる場合にも、簡単に最上位の用紙と最下位の用紙との間の接着状態を適切に調整でき、更に、記載内容が第三者に見られないようにして郵送することができるようにした封筒用紙を用意した冊子状フォームを提供する。
【課題を解決するための手段】
【０００９】
本発明の冊子状フォームは、縦方向の長さが同一の複数枚の矩形形状の用紙がそれぞれの用紙の横方向の一側端で揃えて接着されて一体化された冊子状フォームであって、最上位の用紙の横方向の他の一側端の裏側には線状に形成された接着剤が、最下位の用紙の横方向の他の一側端の表側には剥離剤層がそれぞれ冊子状フォームの側端に平行に形成され、前記最上位及び最下位の用紙は、前記最上位及び最下位の用紙より短い複数枚の中間の用紙を挟んで前記剥離剤層で剥離可能に接着され、かつ、前記中間の用紙の少なくとも１枚の用紙は、切り取りミシンで切り取り可能に設けられた２つ折り封筒部を有し、前記２つ折り封筒部の折り畳み側となる用紙上の周縁に剥離可能な接着剤層が設けられ、前記２つ折り封筒部の剥離可能な接着剤層の上側に、剥離紙が剥離可能に貼付され、前記線状に形成された接着剤の本数は、前記中間の用紙の枚数に応じた本数で形成されていることを特徴とする。
【発明の効果】
【００１０】
したがって、本発明の冊子状フォームは、最上位の用紙の裏面側に、線状に塗布された接着剤が、最下位の用紙の表面側の剥離剤層に対して剥離可能に接着されているので、冊子の枚数が多い場合であっても、封入封緘の処理を行なう際に、冊子の綴じられていない側の紙片が捲れるなどして、折れ曲がったり、破れたりすることを防止することができ、更に、冊子内の重ねられた枚数が異なる場合にも、最上位の用紙の裏面側に、線状に塗布された接着剤のラインの本数を変えることで、簡単に最上位の用紙と最下位の用紙との間の接着状態を適切に調整でき、また、冊子内の重ねられた用紙に封筒部が設けられているので、記載内容が第三者に見られないようにして記載した情報を郵送することができるという効果がある。
【発明を実施するための最良の形態】
【００１１】
以下、本発明の実施形態に係る冊子状フォームを図面に基づいて詳細に説明する。
図１は、本発明の実施形態に係る冊子状フォームの斜視図、図２は、図１のＡ−Ａ線断
面図、図３は、本発明の実施形態に係る冊子状フォームを分解状態にした平面図、図４は
、本発明の実施形態に係る冊子状フォームの最上位の用紙をめくり上げた状態を示す斜視
図、図５は、本発明の実施形態に係る冊子状フォームから２つ折り封筒部を切り離した状
態を示す斜視図、図６は、２つ折り封筒部の構成を説明するための斜視図、図７は、２つ
折り封筒部から作成した封筒を示す斜視図、図８は、２つ折り封筒部から作成した封筒の
一部をめくり上げた状態を示す斜視図である。
【００１２】
図１及び図２に示すように、実施形態に係る冊子状フォーム１は、７枚の矩形形状を有する複数枚の用紙２ａ，２ｂ，２ｃ，２ｄ，２ｅ，２ｆ，２ｇが重ねられており、これらの重ねられた複数枚の用紙２ａ，２ｂ，２ｃ，２ｄ，２ｅ，２ｆ，２ｇの横方向の一側端において、直線状に塗布された接着剤３ａ，３ｂ，３ｃ，３ｄ，３ｅ，３ｆにより接着され一体化されている。
前記複数枚の用紙の内、最上位の用紙２ａと最下位の用紙２ｇの用紙は、それらの間に挟み込まれた中間にある複数の用紙よりも、接着された部分からの横幅の長さ寸法においてより長い寸法で形成されている。
また、最上位の用紙２ａの表面には、プリンタで宛名を印字するための宛名印字部６が設けられており、冊子状フォーム１を窓開き封筒に入れて郵送できるようになっている。
【００１３】
また、最上位の用紙２ａと最下位の用紙２ｆの用紙には、それらの用紙の両端側に沿って、用紙を機械で送る際に利用するマージナルパンチ孔４が等間隔で形成されている。
また、冊子の中間にある５枚の用紙２ｂ，２ｃ，２ｄ，２ｅ，２ｆについても、最上位の用紙２ａ及び最下位の用紙２ｇの一端側に揃えられている側である、左端側にマージナルパンチ孔４が等間隔で形成されており、各々の７枚の用紙２ａ，２ｂ，２ｃ，２ｄ，２ｅ，２ｆ，２ｇを搬送させて、重ね合わせて丁合する工程において用紙の送り孔として用いられる。
尚、マージナルパンチ孔４が形成されている部分については、冊子状フォーム１を顧客に郵送などして送る際には、体裁を良くするためにスリッターで切り取った状態としてもよい。
【００１４】
また、冊子状に複数挟み込まれた中間の５枚の用紙２ｂ，２ｃ，２ｄ，２ｅ，２ｆは、接着された部分から横幅の長さ寸法が、下位側に重ねられている用紙に行くにしたがって、次第に少し長い寸法として形成されている。
つまり、中間の５枚の用紙２ｂ，２ｃ，２ｄ，２ｅ，２ｆは、下位に重ねられている用紙ほど横幅の長さが長く形成されていることから階段状となる状態で重ねられており、段差になっている各用紙の右端付近の部分の表面に所望の見出し情報が表示できるようになっている。
【００１５】
また、７枚の矩形形状を有する複数枚の用紙２ａ，２ｂ，２ｃ，２ｄ，２ｅ，２ｆ，２ｇには、左側の接着された部分に沿ってそれぞれ切り取りミシン５が形成されている。
尚、用途に応じて、複数挟み込まれた中間の５枚の用紙２ｂ，２ｃ，２ｄ，２ｅ，２ｆだけに、それぞれ切り取りミシン５を形成するようにしてもよい。
これにより、各々の用紙２ａ，２ｂ，２ｃ，２ｄ，２ｅ，２ｆ，２ｇを切り取りミシン５から切り取れるようになっている。
【００１６】
冊子を構成する７枚の用紙の中で、５枚目の用紙２ｅには、切り取りミシンで切り取り可能に設けられた２つ折り封筒部９を有している。
図３（ｆ）には、２つ折り封筒部９を有している上から５枚目の用紙２ｅの平面図が示されている。
この用紙２ｅには、左側の接着された部分に沿って形成されている切り取りミシン５と、右側のマージナルパンチ孔に沿って形成されている切り取りミシン１０と、用紙２ｅの中央の縦方向に形成された折り曲げ用ミシン１１とが設けられている。
そして、これらの切り取りミシンが形成されている位置は、用紙２ｅを中央の折り曲げ用ミシン１１から２つに折り畳み、切り取りミシン５，１０から切り取った場合に、切り取られた部分が封筒となるように形成されており、２つに折り畳んだ際にその部分が封筒となる。
【００１７】
また、用紙２ｅの折り曲げ用ミシン１１から左側半分には、その周辺にコ字状に、接着後に剥離可能となる特殊な接着剤が塗布されている接着剤層１３が設けられている。
そして、この接着剤層１３の上側には、図３（ｅ）に示す剥離紙１４が剥離可能に貼付されている。
剥離紙１４は、用紙２ｅの半分のサイズで形成されており、用紙２ｅの右側半分に重ねられた際に、用紙２ｅと同じ位置にマージナルパンチ孔４と、２本の切り取りミシン１５，１６が形成されている。
そして、剥離紙１４は、図２に示すように、用紙２ｅの右側の半分側に剥離可能な状態で重ねられている。
【００１８】
最上位の用紙２ａと最下位の用紙２ｇは、中間の５枚の用紙２ｂ，２ｃ，２ｄ，２ｅ，２ｆの横幅の寸法が長く形成されているので、左側の端部を揃えた状態で重ねた場合に、右側部分において、最上位の用紙２ａの裏面側と、最下位の用紙２ｇの表面側とが直接的に重なる部分を有している。
そして、図２の断面図に示すように、最上位の用紙２ａの裏面側と、最下位の用紙２ｇの表面側とが直接的に重なる部分において、最上位の用紙２ａの裏面側の所定位置に線状に接着剤７ａ，７ｂが塗布されている。
【００１９】
この線状に塗布された接着剤７ａ，７ｂは、冊子状に複数挟み込まれた中間の用紙の枚数や用途などに応じて、２本に限定されずに、接着剤を線状に１本以上設けることができる。
つまり、最上位の用紙２ａの裏面側の所定位置に線状に塗布した接着剤を、線状に１本以上設けた場合に、その本数を多く設けるほど接着力を強くすることができ、最上位の用紙２ａと最下位の用紙２ｇの中間の用紙の枚数が多くなるにしたがって、最上位の用紙２ａと最下位の用紙２ｇの間の接着力を強くすることで、簡単に剥離しない状態にしておくことが好ましい。
【００２０】
また、最上位の用紙２ａの裏面側が直接的に重なる最下位の用紙２ｇの表面側の部分には、剥離剤層８が設けられている。
この剥離剤層８は、最上位の用紙２ａの裏面側に、線状に塗布された接着剤７ａ，７ｂが重なる位置を含む部分に設けられている。
そして、図４に示すように、最下位の用紙２ｇの表面側に剥離剤層８が設けられていることで、線状に塗布された接着剤７ａ，７ｂで最上位の用紙２ａと最下位の用紙２ｇとが接着された状態から、最上位の用紙２ａを持ち上げることで剥離させることができる。
【００２１】
次に、冊子状フォーム１を使用する場合について説明する。
冊子状フォーム１は、冊子状にする前に、各々の用紙２ａ，２ｂ，２ｃ，２ｄ，２ｅ，２ｆ，２ｇに必要に応じてプリンタにより個人情報などを印字した後に、丁合いして接着一体化する。
冊子状フォーム１は、窓開き封筒などに封入して郵送するが、冊子状フォーム１の右側において、最上位の用紙２ａと最下位の用紙２ｇとが接着剤７ａ，７ｂにより接着状態となっており、封入処理を行なう際に、複数の用紙がめくれ上がらないようになっている。
【００２２】
そして、冊子状フォーム１の受取人は、図４に示すように、冊子状フォーム１の最上位の用紙２ａの右端部分をつまみ上げることで、剥離剤層８により剥離可能に接着されている接着剤７ａ，７ｂが剥離剤層８から剥離されて、最上位の用紙２ａが破れることなくめくり上げることができる。
また、受取人は、冊子状フォーム１の中間に挟み込まれている複数の用紙を順時にめくって、必要に応じて切り取りミシン５から切り取って使用することもできる。
【００２３】
更に、冊子状フォーム１の受取人は、冊子状フォーム１内に設けられている２つ折り葉書部９を使用する際には、図５に示すように、上から５枚目の用紙２ｅの切り取りミシン５から２つ折り封筒部９を切り取る。
そして、図６に示すように、用紙２ｅと剥離紙１４とに形成されている切り取りミシン１０，１５から２つ折り封筒部９の封筒となる部分を切り取り、また同時に、剥離紙１４を接着後に剥離可能となる特殊な接着剤が塗布されている接着剤層１３の上面から剥離させる。
【００２４】
そして、図７に示すように、２つ折り封筒部９を折り曲げ用ミシン１１から２つに折り畳んで、接着後に剥離可能となる特殊な接着剤が塗布されている接着剤層１３により接着状態にして封筒とする。
このようにして、封筒にした後、ポストに投函して郵送する。
次に、その封筒の受取人において、図８に示すように、２つ折り畳まれた封筒の一方の用紙を、その角部などからめくり上げることで、接着後に剥離可能となる特殊な接着剤が塗布されている接着剤層１３で接着されている部分を剥離させて、封筒内に印字されている情報を見られるようになっている。
【００２５】
なお、用紙２ｅの上面に設けられた接着後に剥離可能となる特殊な接着剤が塗布されている接着剤層１３と、その接着剤層１３に貼付された剥離紙１４については、上記の実施形態のように、用紙２ｅの右側半分に限らず、用紙２ｅの左側半分に設けるようにしてもよい。
【図面の簡単な説明】
【００２６】
【図１】本発明の実施形態に係る冊子状フォームの斜視図である。
【図２】図１のＡ−Ａ線断面図である。
【図３】本発明の実施形態に係る冊子状フォームを分解状態にした平面図である。
【図４】本発明の実施形態に係る冊子状フォームの最上位の用紙をめくり上げた状態を示す斜視図である。
【図５】本発明の実施形態に係る冊子状フォームから２つ折り封筒部を切り離した状態を示す斜視図である。
【図６】２つ折り封筒部の構成を説明するための斜視図である。
【図７】２つ折り封筒部から作成した封筒を示す斜視図である。
【図８】２つ折り封筒部から作成した封筒の一部をめくり上げた状態を示す斜視図である。
【符号の説明】
【００２７】
１  冊子状フォーム
２ａ，２ｂ，２ｃ，２ｄ，２ｅ，２ｆ，２ｇ  用紙
３ａ，３ｂ，３ｃ，３ｄ，３ｅ，３ｆ，７ａ，７ｂ  接着剤
４  マージナルパンチ孔
５，１０，１５  切り取りミシン
６  宛名印字部
８  剥離剤層
９  ２つ折り封筒部
１１  折り曲げ用ミシン
１３  接着後に剥離可能となる特殊な接着剤が塗布されている接着剤層
１４  剥離紙
【図１】
0005146120.tif 000002
【図２】
0005146120.tif 000003
【図３】
0005146120.tif 000004
【図４】
0005146120.tif 000005
【図５】
0005146120.tif 000006
【図６】
0005146120.tif 000007
【図７】
0005146120.tif 000008
【図８】
0005146120.tif 000009